(57)【要約】【課題】子どものストレスや不安を軽減し、子どもが安心して長時間楽しく遊びながら、安全に点滴を行うことができる空間を有する乳幼児診察室を提供する。【解決手段】  診察を行うための診察スペース２と、診察スペース２の床面２１から所定高さH１高い位置に床面３１が位置するように診察スペース２に隣接して設けられる点滴処置スペース３と、を備える乳幼児診察室１であって、点滴処置スペース３の診察スペース１に対向する側の壁３２の所定高さH２の位置に設けられ、壁３２の幅方向に延びるスライドレールを有するレール部７と、スライドレールに対してスライド自在に設けられ、点滴容器を取り付け可能な点滴スライド部８とを備える。【選択図】図２
2015080581.tif 000002
【特許請求の範囲】
【請求項１】
診察を行うための診察スペースと、前記診察スペースの床面から所定高さ高い位置に床面が位置するように前記診察スペースに隣接して設けられる点滴処置スペースと、を備える乳幼児診察室であって、
前記点滴処置スペースの前記診察スペースに対向する側の壁の所定高さ位置に設けられ、前記壁の幅方向に延びるスライドレールを有するレール部と、
前記スライドレールに対してスライド自在に設けられ、点滴容器を取り付け可能な点滴スライド部と、を備えることを特徴とする乳幼児診察室。
【請求項２】
前記点滴スライド部は、前記スライドレールに対してスライド自在に設けられるパネル部材と、上方側へ延びた状態で前記パネル部材に固定され、点滴ポンプを取り付け可能な棒部材と、前記棒部材の上端側に設けられ、前記点滴処置スペースの前記壁と対向する裏面側に前記点滴容器を取り付けるためのフックを有する板部材と、を備えることを特徴とする請求項１に記載の乳幼児診察室。
【請求項３】
前記レール部の上部には、前記点滴ポンプに電源を供給するためのコンセントが設けられていることを特徴とする請求項２に記載の乳幼児診察室。
【請求項４】
前記診察スペースと前記点滴処置スペースとの出入口を開閉するゲートが設けられていることを特徴とする請求項１乃至３のいずれかに記載の乳幼児診察室。
【請求項５】
前記診察スペースと前記点滴処置スペースとの境界には、ベンチが設けられていることを特徴とする請求項１乃至４のいずれかに記載の乳幼児診察室。
【請求項６】
前記点滴処置スペースの前記レール部が設けられている前記壁に対して直交する方向の寸法は、１〜２ｍの範囲内に設定されていることを特徴とする請求項１乃至５のいずれかに記載の乳幼児診察室。
【請求項７】
前記レール部の下方には、繰り返し書き消し可能なボードが設けられていることを特徴とする請求項１乃至６のいずれかに記載の乳幼児診察室。
【発明の詳細な説明】
【技術分野】
【０００１】
本発明は、子どもが遊びながら点滴を行うことができる空間を有する乳幼児診察室に関する。
【背景技術】
【０００２】
従来から、医院の診察室は、一般的に診療機能を満たすための設備や機器が設置され、清潔で作業を行いやすい環境に設計されており、子どもにとっては、見慣れない、温かみのない空間となっている。そのため、小児科等の診察室では、子どもの居心地を考慮して、子ども向けの色やイラスト等を使用した空間デザインが施されている所もある。
【０００３】
ところで、小児がん等の重篤な疾病を持つ子どもの場合、長時間の点滴を必要とすることがあり、診療時間を含む長時間の滞在が必要となる。通常、大人の場合には、点滴容器が取り付けられている点滴スタンドを自分で移動させることができるので、点滴をしながら移動が可能である。また、病室の天井に点滴用レールを設けて、病室内の患者の移動に応じて、点滴容器を移動させることができる構造も提案されている（例えば、特許文献１参照）。
【先行技術文献】
【特許文献】
【０００４】
【特許文献１】特開２００５−２３００７１号公報
【発明の概要】
【発明が解決しようとする課題】
【０００５】
しかしながら、幼児等の子どもの場合には、動き回って点滴スタンドを倒してしまう虞があるため、危険が伴うと共に、動き等も制限されてしまうため、不安やストレスを感じやすく、点滴スタンドを使用することは難しい。また、特許文献１のように、単に病室等の天井に点滴容器の移動を可能にするための点滴用レールを設けた構造は、子どもが楽しく過ごせるような空間として設計されているものではなく、通常の居室にいる場合等とも異なり、子どもにとっては、不安やストレスを感じやすい空間となる。また、小児科等の診察室のように子ども向けの色やイラスト等を使用した空間デザインが施された場合でも、医師がいる、設備機器が備えられた空間に入って行くことは、居室にいる場合等とは異なり、子どもにとって不安やストレスを生じるものとなる。
【０００６】
このように従来は、長時間の滞在が必要となる疾病の場合に、子どもが安心して、遊びながら滞在することができる空間を有する診察室はなかった。また、遊んだり動き回ったりする子どもが、安全に点滴を行いながら滞在できる設備もなかった。
【０００７】
本発明は、上記のような課題に鑑みてなされたものであって、子どものストレスや不安を軽減し、子どもが安心して長時間楽しく遊びながら、安全に点滴を行うことができる空間を有する乳幼児診察室を提供することを目的とする。
【課題を解決するための手段】
【０００８】
上記目的を達成するために、請求項１に記載の乳幼児診察室は、診察を行うための診察スペースと、前記診察スペースの床面から所定高さ高い位置に床面が位置するように前記診察スペースに隣接して設けられる点滴処置スペースと、を備える乳幼児診察室であって、前記点滴処置スペースの前記診察スペースに対向する側の壁の所定高さ位置に設けられ、前記壁の幅方向に延びるスライドレールを有するレール部と、前記スライドレールに対してスライド自在に設けられ、点滴容器を取り付け可能な点滴スライド部と、を備えることを特徴としている。
【０００９】
請求項２に記載の乳幼児診察室は、前記点滴スライド部が、前記スライドレールに対してスライド自在に設けられるパネル部材と、上方側へ延びた状態で前記パネル部材に固定され、点滴ポンプを取り付け可能な棒部材と、前記棒部材の上端側に設けられ、前記点滴処置スペースの前記壁と対向する裏面側に前記点滴容器を取り付けるためのフックを有する板部材と、を備えることを特徴としている。
【００１０】
請求項３に記載の乳幼児診察室は、前記レール部の上部には、前記点滴ポンプに電源を供給するためのコンセントが設けられていることを特徴としている。
【００１１】
請求項４に記載の乳幼児診察室は、前記診察スペースと前記点滴処置スペースとの出入口を開閉するゲートが設けられていることを特徴としている。
【００１２】
請求項５に記載の乳幼児診察室は、前記診察スペースと前記点滴処置スペースとの境界には、ベンチが設けられていることを特徴としている。
【００１３】
請求項６に記載の乳幼児診察室は、前記点滴処置スペースの前記レール部が設けられている前記壁に対して直交する方向の寸法は、１〜２ｍの範囲内に設定されていることを特徴としている。
【００１４】
請求項７に記載の乳幼児診察室は、前記レール部の下方には、繰り返し書き消し可能なボードが設けられていることを特徴としている。
【発明の効果】
【００１５】
請求項１に記載の乳幼児診察室によれば、診察スペースとは別に、診察スペースに隣接して点滴処置スペースを設けているので、子どもに居室にいるような印象を与えながら点滴を行うことができ、子どもの点滴に対する不安やストレスを軽減し、安心感を与えることができる。また、点滴処置スペースは、診察スペースに隣接して設けられているので、診察スペースにいる医師や母親らが点滴処置スペースで点滴をしている子どもの様子を容易に窺うことができる。また、点滴処置スペースの床面は、診察スペースの床面よりも所定高さ高い位置に設けているので、診察スペースの床面の埃等が点滴処置スペース内に侵入してくることを抑制し、点滴処置スペース内を清潔に保つことができる。また、点滴容器を取り付け可能な点滴スライド部は、点滴処置スペースの壁の幅方向に延びるスライドレールに対してスライド自在に設けられているので、子どもは、点滴処置スペース内を自由に動き回りながら遊ぶことができ、点滴中も不安やストレスを与えることなく、楽しく過ごすことができる。また、点滴容器が取り付けられる点滴スライド部をスライド自在に案内するスライドレールを有するレール部は、点滴処置スペースの壁に設けられているので、子どもは点滴の存在をあまり意識することなく過ごすことができ、点滴に対する不安やストレスを軽減することができる。
【００１６】
請求項２に記載の乳幼児診察室によれば、点滴容器は、スライドレールに対してスライド自在に設けられるパネル部材に固定された棒部材の上端側に設けられた板部材の裏面側に取り付けられているため、点滴処置スペース内にいる子どもからは、点滴容器が板部材に隠れた状態になるので、子どもの点滴に対する不安やストレスを軽減することができる。また、点滴ポンプは、スライドレールに対してスライド自在に設けられるパネル部材に固定された棒部材に取り付けられるので、子どもが点滴処置スペースを動き回った場合、点滴ポンプもその動きに応じて移動するため、点滴を安全に行うことができる。
【００１７】
請求項３に記載の乳幼児診察室によれば、点滴ポンプに電源を供給するためのコンセントがレール部の上部に設けられているので、子どもが点滴処置スペースを動き回った場合に、誤って子どもが点滴ポンプの配線を抜いてしまう等の虞がないため、安全に点滴ポンプを駆動することができる。
【００１８】
請求項４に記載の乳幼児診察室によれば、診察スペースと点滴処置スペースとの出入口を開閉するゲートが設けられているので、点滴処置スペースにいる子どもが点滴中に診察スペースへ移動してしまうことにより、点滴針が外れてしまうことを防止することができる。
【００１９】
請求項５に記載の乳幼児診察室によれば、診察スペースと点滴処置スペースとの境界には、ベンチが設けられているので、診察スペースにいる医師や母親は、ベンチに座った状態で、点滴処置スペースで点滴をしている子どもの様子を見守ることができる。
【００２０】
請求項６に記載の乳幼児診察室によれば、点滴処置スペースのレール部が設けられている壁に対して直交する方向の寸法は、１〜２ｍの範囲内に設定されているので、子どもが点滴中に点滴処置スペース内を動き回った場合でも、点滴針が外れてしまうことを防止することができる。
【００２１】
請求項７に記載の乳幼児診察室によれば、レール部の下方には、繰り返し書き消し可能なボードが設けられているので、点滴中の子どもは、レール部の近くでお絵かきを楽しむことができる。これにより、お絵かき中は、子どもが点滴処置スペース内を走り回ったりすることを抑制することでき、より安全に点滴を行うことができる。
【図面の簡単な説明】
【００２２】
【図１】本発明に係る乳幼児診察室の一例を示す概略平面断面図である。
【図２】図１におけるＡ−Ａ線断面図である。
【図３】図１におけるＢ−Ｂ線断面図である。
【図４】図１におけるＣ−Ｃ線断面図である。
【図５】図１におけるＤ−Ｄ線断面図である。
【図６】レール部及び点滴スライド部の一例を示す一部拡大断面図である。
【図７】点滴処置スペースから診察スペースを見た場合のゲート閉鎖時の概略正面図である。
【図８】点滴処置スペースから診察スペースを見た場合のゲート開放時の概略正面図である。
【発明を実施するための形態】
【００２３】
以下、本発明に係る乳幼児診察室の実施形態について、図面を参照しつつ説明する。本発明の実施形態に乳幼児診察室１は、主に乳幼児の診察や点滴を行うための診察室であって、図１〜図３に示すように、診察を行うための診察スペース２と、該診察スペース２の床面２１から所定高さＨ１高い位置に床面３１が位置するように隣接して設けられる点滴処置スペース３とを有している。尚、図３の断面図では、説明のために一部の構成を省略して図示している。
【００２４】
診察スペース２は、医師が診察等を行うための空間であって、図１〜図３に示すように、当該診察スペース２の床面２１から点滴処置スペース３の床面３１へ通じる段差部２２が２箇所に設けられており、一方の段差部２２の反対側には乳幼児診察室１に出入りするための開口部２３が設けられている。段差部２２は、床面２１から床面３１までの高さＨ１が３０ｃｍ程度になるように、２段で構成されている。尚、床面２１から床面３１までの高さＨ１及び段差の数は、上記の構成に限定されるものではなく、高さＨ１は、診察スペース２にいる医師や母親らが診察スペース２から点滴処置スペース３内の様子を窺うことができる程度の高さに設定されていれば良く、段差の数も高さＨ１に応じて適宜設定しても良い。また、開口部２３には、当該開口部２３を開閉自在にする扉を設けるようにしても良い。
【００２５】
診察スペース２には、図１〜図４に示すように、医師が診察等を行うために、引出し４１付のカウンターテーブル４が壁２４側に配置されており、該カウンターテーブル４の隣には洗面台５が配置されている。また、カウンターテーブル４及び洗面台５の上方には、吊棚６が壁２４に固定されて設けられており、医療具や乳幼児用の備品等が収納できるようになっている。また、吊棚６の洗面台５側は、ベビータオルを積み重ねて収納できるように構成されており、収納されたベビータオルは下から抜き取ることができるように、下端側の取出口にはローラーパイプ６１が設けられている。
【００２６】
点滴処置スペース３は、子どもが点滴をつけたまま長時間遊びながら滞在することができる空間であって、床面３１は、例えば、柔らかいタイルカーペット仕様で構成されており、子どもが床面３１に座って遊んだり、寝転んだりしてくつろぐことができるように設計されている。また、この点滴処置スペース３の診察スペース２に対向する側の壁３２には、図５に示すように、壁３２の幅方向に長尺なレール部７が設けられている。
【００２７】
レール部７は、図２及び図３に示すように、壁３２に対して略垂直に突出するように略直方体状に形成されており、床面３１からの高さが所定高さＨ２の位置に固定されている。レール部７の高さＨ２は、例えば、１００ｃｍ程度に設定されており、２，３歳の幼児が立っている場合でも頭が当たらない程度の高さになっている。このレール部７は、図６に示すように、先端側の上下に壁３２の幅方向に延びる溝状のスライドレール７１がそれぞれ形成されており、このスライドレール７１に点滴容器が取り付けられる点滴スライド部８がスライド自在に設けられる。また、詳しくは図示しないが、レール部７の上部の幅方向略中央には、点滴ポンプに電源を供給するためのコンセントが設けられている。そのため、点滴ポンプの配線は、レール部７の上部に位置するので、子どもが点滴中に誤って点滴ポンプの配線を抜いてしまうことを防止することができる。尚、レール部７は、上記の構造に限定されるものではなく、点滴スライド部８を壁３１の幅方向にスライド自在に案内できるものであれば良い。
【００２８】
点滴スライド部８は、図５及び図６に示すように、スライドレール７１に対してスライド自在に設けられるパネル部材８１と、大小２本の棒部材８２，８３と、一方の棒部材８２の上端側に設けられる板部材８４とを備えている。
【００２９】
パネル部材８１は、薄板状に形成された部材であって、図６に示すように、上下のスライドレール７１に沿ってスライドするように、スライドレール７１の溝内を転動するローラを有するローラ部材９が裏面側の上下にそれぞれ取り付けられている。また、パネル部材８１の表面側には、所定間隔あけて互いに平行になるように大小２本の棒部材８２，８３が固定されている。
【００３０】
棒部材８２は、上方側へ延びた状態でパネル部材８１の表面側に設けられるものであって、上端がパネル部材８１の上端よりも高くなるように設けられている。棒部材８２では、図６に示すように、上下方向に所定間隔あけて２本の支持片８５が突出して設けられており、この支持片８５が、例えば、パネル部材８１の表面にねじ止めされることにより固定されている。この棒部材８２は、詳しくは図示しないが、後述するフック８６に取り付けられる点滴容器の薬剤を定期的に送り出すための点滴ポンプを取り付けるためのものであって、点滴ポンプは棒部材８２に取り付けることができる不図示のグリップ部材等によって保持される。
【００３１】
棒部材８３は、棒部材８２と同様に上方側へ延びた状態でパネル部材８１の表面側に設けられるものであって、棒部材８２よりも短く形成されている。この棒材８３は、図３及び図５に示すように、高さがパネル部材８１の高さと略同一の寸法に形成されている。この棒部材８３には、主に点滴の薬剤が入った点滴容器とポンプとが一体化された点滴装置が、不図示のグリップ部材等によって取り付けられる。
【００３２】
板部材８４は、図２及び図５に示すように、壁３２と裏面側が対向するように棒部材８２の上端側に設けられている。この板部材８４は、裏面に点滴容器を吊り下げるためのフック８６を有している。従って、点滴処置スペース３内にいる子どもからは、点滴容器は板部材８４の裏側に隠れた状態になる。尚、この板部材８４の形状等は、特に限定されるものではないが、動物等の顔の形に形成したり、表面側に子ども向けのデザインを施すようにしたりしても良い。
【００３３】
点滴処置スペース３では、図１〜３、５に示すように、レール部７の下方に繰り返し書き消し可能なボード１０が設けられている。尚、図１では、レール部７の先端の位置を二点鎖線で示している。ボード１０としては、例えば、多機能ガラス黒板と呼ばれる繰り返し書き消し可能なボード状のものを好適に用いることができる。多機能ガラス黒板は、特殊な表面処理を施した機能性ガラスによって形成されており、ホワイトボードに比べて容易に書き消しが可能であるので、子どもが何度でも自由に落書き等をすることができる。また、このような多機能ガラス黒板をレール部７の下方に設けることにより、点滴中の子どもは、レール部７の近くでお絵かきを楽しむことができるので、子どもが点滴処置スペース３内を走り回ったりすることを抑制し、安全に点滴を行うことができる。また、通常の黒板等を用いた場合のようにチョークの粉等が付着して汚れることも防止できるので、点滴処置スペース３内を清潔に保つことができる。尚、ボード１０は、必ずしも多機能ガラス黒板に限定されるものではなく、その他の繰り返し書き消し可能なボード部材であれば良く、落書き機能付きのタッチパネル等であっても良い。また、ボード１０の隣には、本棚１１が配置されており、お絵かき以外にも絵本等を読みながら点滴を行うことができ、点滴中の子どもが退屈しないようになっている。また、点滴処置スペース３内には、体重計１２や身長計１３等が備えられており、体重や身長も点滴処置スペース３内で測定できるようになっている。
【００３４】
点滴処置スペース３では、図１に示すように、壁３２に対して直交する方向（奥行方向）の寸法L１が１〜２ｍの範囲内に設定されており、子どもが遊べる広さを確保しつつ、子どもが点滴中に点滴処置スペース３内を動き回った場合でも、点滴針が外れてしまうことを防止することができる寸法に設定されている。
【００３５】
また、図１〜図３及び図５〜図７に示すように、診察スペース２と点滴処置スペース３との出入口となるそれぞれの段差部２２を上がった所に位置する点滴処置スペース３側には、当該出入口をスライド開閉自在とするゲート１４がそれぞれ設けられている。このゲート１４は、高さが３０〜４０ｃｍ程度に設定されており、点滴処置スペース３にいる子どもが点滴中に診察スペース２へ入ってくることを防ぐ役割を果たしている。また、このそれぞれの出入口の間に位置し、診察スペース２と点滴処置スペース３の境界に位置する箇所には、ベンチ１５と収納台１６が連続して設けられている。また、診察スペース２と点滴処置スペース３の境界の本棚１１に対向する位置には、そで壁１７が形成されている。
【００３６】
ベンチ１５は、図１及び図５に示すように、略直方体状に形成されており、座面が３つ設けられている。このベンチ１５は、診察スペース２の床面２１から座面までの高さH３が７０ｃｍ程度に設定されており、平均的な身長を有する大人であれば、点滴処置スペース３側からでも診察スペース２側からでも座ることができるようになっている。従って、医師や母親らは診察スペース２側からベンチ１５に座った状態で、点滴処置スペース３内で点滴をしている子どもの様子を見守ることも可能である。尚、ベンチ１５の形状や高さH３は、上記に限定されるものではなく、診察スペース２及び点滴処置スペース３の広さ、段差部２２の高さ等に応じて適宜設定される。また、ベンチ１５の点滴処置スペース３側に位置する裏面側には、図１及び図７に示すように、ゲート１４の開放時にゲート１４を収容するための凹部１５ａが形成されている。
【００３７】
収納台１６は、図１及び図５に示すように、略直方体状に形成されており、上面には乳幼児体重計１８が載置されている。この収納台１６の点滴処置スペース３側に位置する裏面側には、図７に示すように、ゲート１４の閉鎖時に出し入れ可能な収納空間１６ｂが設けられており、点滴処置スペース３内で子どもが点滴中に遊ぶためのおもちゃ等が収納できるようになっている。また、ベンチ１５と同様に、収納台１６の裏面側にも、図１及び図７に示すように、ゲート１４の開放時にゲート１４を収容するための凹部１６ａが形成されている。従って、図８に示すように、ゲート１４の開放時は、ゲート１４がスライドしてそれぞれベンチ１５及び収納台１６の裏側に形成されて凹部１５ａ及び凹部１６ａに収容される。
【００３８】
このように本発明に係る乳幼児診察室１では、診察スペース２とは別に、診察スペース２に隣接して点滴処置スペース３を設けているので、子どもに居室にいるような印象を与えながら点滴を行うことができ、子どもの点滴に対する不安やストレスを軽減することができる。また、点滴処置スペース３には、レール部７及び点滴スライド部８によって、フック８６に取り付けられる点滴容器や棒部材８２に取り付けられる点滴ポンプは、子どもの動きに応じて移動するように構成されているので、点滴処置スペース３内を自由に動き回ることができ、点滴中も不安やストレスを与えることなく、楽しく過ごすことができる。
【００３９】
尚、本発明の実施の形態は上述の形態に限ることなく、本発明の思想の範囲を逸脱しない範囲で適宜変更することができる。
【符号の説明】
【００４０】
１          乳幼児診察室
２          診察スペース
２１        診察スペースの床面
３          点滴処置スペース
３１        点滴処置スペースの床面
３２        壁
７          レール部
７１        スライドレール
８          点滴スライド部
８１        パネル部材
８２        棒部材
８４        板部材
８６        フック
９          ローラ部材
１０        ボード
１４        ゲート
１５        ベンチ
【図１】
2015080581.tif 000003
【図２】
2015080581.tif 000004
【図３】
2015080581.tif 000005
【図４】
2015080581.tif 000006
【図５】
2015080581.tif 000007
【図６】
2015080581.tif 000008
【図７】
2015080581.tif 000009
【図８】
2015080581.tif 000010